(57)【特許請求の範囲】
【請求項１】
工具を駆動する動力源と、
オン操作されることによって前記動力源が動作するとともに、オフ操作されることによって前記動力源が停止するメインスイッチと、
工具による作業箇所を照明する照明器と、
操作されることによって照明器の動作条件が切り替わる照明切替スイッチと、
照明切替スイッチに加えられた操作に応じて、少なくとも第１照明モードと第２照明モードと第３照明モードとの間で、照明器の動作条件を切り替えるマイクロコンピュータと、
を備え、
第１照明モードでは、メインスイッチへの操作に応じて照明器が点灯し、第２照明モードでは、メインスイッチへの操作にかかわらず照明器が消灯し続け、第３照明モードでは、第３照明モードへの切替時点で照明器が点灯し、
前記マイクロコンピュータは、メインスイッチがオン操作されることによって、照明切替スイッチに加えられた操作に応じて照明モードを切り替えるための動作を開始することを特徴とする動力工具。
【請求項２】
前記マイクロコンピュータは、所定の待機時間に亘って利用者からいかなる操作も行われなければ、前記照明切替スイッチに加えられた操作に応じて照明モードを切り替えるための動作を停止することを特徴とする請求項１に記載の動力工具。
【請求項３】
前記マイクロコンピュータは、照明モードを記憶するメモリを有し、自己の動作を停止する前後において照明モードを維持することを特徴とする請求項２に記載の動力工具。
【請求項４】
前記第３照明モードでは、第３照明モードへの切替時点から第２所定時間後に、照明器が消灯することを特徴とする請求項１から３のいずれか一項に記載の動力工具。
【請求項５】
工具を駆動する動力源と、
オン操作されることによって前記動力源が動作するとともに、オフ操作されることによって前記動力源が停止するメインスイッチと、
工具による作業箇所を照明する照明器と、
操作されることによって照明器の動作条件が少なくとも第１照明モードと第２照明モードと第３照明モードとの間で切り替わる照明切替スイッチと、
を備え、
第１照明モードでは、メインスイッチへの操作に応じて照明器が点灯し、第２照明モードでは、メインスイッチへの操作にかかわらず照明器が消灯し続け、第３照明モードでは、第３照明モードへの切替時点で照明器が点灯し、
前記照明切替スイッチは、メインスイッチがオン操作された後に、メインスイッチがオフ操作された場合に、照明モードの切り替えをすることができることを特徴とする動力工具。
【請求項６】
工具を駆動する動力源と、
オン操作されることによって前記動力源が動作するとともに、オフ操作されることによって前記動力源が停止するメインスイッチと、
工具による作業箇所を照明する照明器と、
操作されることによって照明器の動作条件が切り替わる照明切替スイッチと、
照明切替スイッチに加えられた操作に応じて、少なくとも第１照明モードと第２照明モードと第３照明モードとの間で、照明器の動作条件を切り替えるマイクロコンピュータと、
を備え、
第１照明モードでは、メインスイッチへの操作に応じて照明器が点灯し、第２照明モードでは、メインスイッチへの操作にかかわらず照明器が消灯し続け、第３照明モードでは、第３照明モードへの切替時点で照明器が点灯し、
前記マイクロコンピュータは、メインスイッチがオン操作された後であって、メインスイッチがオフ操作された場合に、照明モードの切り替えをすることができることを特徴とする動力工具。
【発明の詳細な説明】
【技術分野】
【０００１】
本発明は、動力工具に関する。特に、作業箇所を照明する照明器を備える動力工具に関する。
【背景技術】
【０００２】
特許文献１に、作業箇所を照明する照明器を備える動力工具が開示されている。この動力工具では、メインスイッチがオン操作された時点で照明器が点灯するとともに、メインスイッチにオフ操作された時点から第１所定時間後に照明器が消灯する。
特許文献１に記載の動力工具によると、例えば動力工具による作業が完了し、メインスイッチがオフ操作された後も、照明器が所定時間に亘って点灯し続ける。そのことから、動力工具による作業の完了後、動力工具によって作業を行った箇所を、照明器で照らしながら確認することができる。このとき利用者は、照明器を点灯／消灯するためのスイッチ等を別途操作する必要がない。
【０００３】
【特許文献１】特開２００１−２５９８２号公報
【発明の開示】
【発明が解決しようとする課題】
【０００４】
動力工具を利用する環境は様々であり、メインスイッチのオフ操作後に照明器が点灯することが必要とされない場合もある。しかしながら、特許文献１に記載の動力工具では、メインスイッチのオフ操作後、所定時間に亘って照明器が必ず点灯する。そのことから、電力を無用に消費させてしまうことがある。
本発明は、上記の問題を解決する。本発明は、照明器が無用に点灯することが防止される動力工具を提供する。
【課題を解決するための手段】
【０００５】
本発明の動力工具は、工具を駆動する動力源と、オン操作されることによって動力源が動作するとともに、オフ操作されることによって動力源が停止するメインスイッチと、工具による作業箇所を照明する照明器と、操作されることによって照明器の動作条件が切り替わる照明切替スイッチと、照明切替スイッチに加えられた操作に応じて、少なくとも第１照明モードと第２照明モードと第３照明モードとの間で、照明器の動作条件を切り替えるマイクロコンピュータを備えている。第１照明モードでは、メインスイッチに加えられた操作に応じて照明器が点灯し、第２照明モードでは、メインスイッチに加えられた操作にかかわらず照明器が消灯し続け、第３照明モードでは、第３照明モードへの切替時点で照明器が点灯する。ここで、マイクロコンピュータは、メインスイッチがオン操作されることに、照明切替スイッチに加えられた操作に応じて照明モードを切り替えるための動作を開始する。この場合、照明切替スイッチは、メインスイッチがオン操作された後に、メインスイッチがオフ操作された場合に、照明モードの切り替えをすることができることが好ましい。
【０００６】
この動力工具では、照明切替スイッチを操作することにより、照明器の動作条件を第１照明モードと第２照明モードと第３照明モードとの間で切り替えることができる。例えば、メインスイッチのオフ操作後に照明器が点灯するように設定しておくこともできるし、メインスイッチのオフ操作後に照明器が点灯しないように設定しておくこともできる。動力工具を利用する作業内容や作業環境等に応じて照明器の動作を切り換えることができ、照明器が無用に点灯することを防止することができる。
マイクロコンピュータは、所定の待機時間に亘って利用者からいかなる操作も行われなければ、照明切替スイッチに加えられた操作に応じて照明モードを切り替えるための動作を停止することが好ましい。この場合、マイクロコンピュータは、照明モードを記憶するメモリを有し、自己の動作を停止する前後において照明モードを維持することがより好ましい。
【０００７】
前記した前記第１照明モードでは、メインスイッチがオン操作された時点で照明器が点灯するとともに、メインスイッチがオフ操作された時点から第１所定時間後に照明器が消灯することが好ましい。また、前記した前記第２照明モードでは、メインスイッチにオン操作とオフ操作のいずれが加えられても、照明器が消灯し続けることが好ましい。
この構成によると、照明器による照明が必要とされない場合には、第２照明モードを選択しておくことにより、メインスイッチの操作に伴って照明器が点灯することを禁止することができる。それにより、照明器によって無用に電力が消費されることを防止することができる。
【０００８】
前記した第３照明モードでは、第３照明モードへの切替時点で照明器が点灯するとともに、その切替時点から第２所定時間後に照明器が消灯することが好ましい。
ここで、第３照明モードにおける第２所定時間は、第１照明モードにおける第１所定時間と同じであってもよいし、異なるものであってもよい。
この構成によると、メインスイッチを操作することなく、照明切替スイッチのみを操作することによって、照明器を点灯させることができる。それにより、例えば作業箇所を事前に確認する際に、工具を無用に駆動させることなく、照明器を点灯させることができる。
【０００９】
上記した動力工具では、前記した第１所定時間と第２所定時間の少なくとも一方が、照明切替スイッチによって変更可能であることが好ましい。この場合、第１所定時間と第２所定時間の少なくとも一方が、照明切替スイッチを操作し続けた時間に応じて変更可能であることがより好ましい。
この構成によると、照明器による照明時間を変更するためのスイッチを別に設ける必要がない。動力工具の構成を比較的に簡素なものとすることができる。
【００１０】
上記した動力工具では、照明器の照度が、照明切替スイッチによって変更可能であることが好ましい。この場合、照明器の照度が、照明切替スイッチを操作し続けた時間に応じて変更可能であることがより好ましい。
この構成によると、照明器による照度を変更するためのスイッチを別に設ける必要がない。動力工具の構成を比較的に簡素なものとすることができる。
【００１１】
上記した動力工具は、前記照明切替スイッチによって第１照明モードが選択されたことを利用者に報知する報知手段をさらに備えることが好ましい。この場合、その報知手段は、第１照明モードが選択されたときに、前記した照明器を点灯させることがより好ましい。
この構成によると、利用者は、第１照明モードが選択されているのか否かを確認しながら、照明切替スイッチを操作することができる。
【００１２】
上記した動力工具は、照明切替スイッチによって選択された照明モードを記憶する記憶手段をさらに備えることが好ましい。
この構成によると、動力工具による作業を一旦中断した後に、設定選択スイッチを再度操作し、照明モードを再設定し直す必要がない。
【００１３】
上記した動力工具は、動力源の動作速度を段階的に切替可能な速度切替スイッチをさらに備えることが好ましい。この場合、前記した記憶手段は、速度切替スイッチによって切替可能な動作速度毎に、照明切替スイッチによって選択された照明モードを記憶することが好ましい。
この構成によると、動力工具による作業内容に応じて動力源の動作速度を切り替えた際に、照明モードも自動的に切り替えられる。動力源の動作速度を切り換える度に照明モードを再選択するといった面倒な操作が必要とされない。
【００１４】
上記した動力工具では、メインスイッチがオン操作されている間、照明切替スイッチによる照明モードの切替が禁止されることが好ましい。
この構成によると、動力工具による作業中に照明切替スイッチが誤操作されても、照明器が突然に点灯したり消灯したりすることがない。
【発明の効果】
【００１５】
本発明の動力工具によると、照明器が無用に点灯することを防止し、電力が無用に消費されることを防止することができる。
【発明を実施するための最良の形態】
【００１６】
最初に、本発明を実施するための好適な形態を列記する。
（形態１）  工具を駆動する動力現は、電気によって動作するモータ、燃料によって動作するエンジン、圧縮エアによって駆動する空圧モータであるとよく、特に、電気によって動作するモータが好ましい。この場合、動力源と照明器の電源を共通化することができる。
（形態２）  照明器は、動力工具の本体に設けることが好ましい。ただし、照明器は、動力工具の本体に着脱される電池パックに設けることもできる。ただし、照明器を電池パックに設けた構成であると、本体と電池パックとの間の回路構成が複雑なものとなりやすい。
（形態３）  第１照明モードは、メインスイッチがオフ操作された時点から第１所定時間の間は照明器が点灯するモードである。従って、第１照明モードは、例えば、メインスイッチがオン操作された時点で照明器が点灯するとともに、メインスイッチがオフ操作された時点から第１所定時間後に照明器が消灯する照明モードでもよいし、メインスイッチがオフ操作された時点で照明器が点灯するとともに、メインスイッチがオフ操作された時点から第１所定時間後に照明器が消灯する照明モードであってもよい。即ち、第１照明モードでは、メインスイッチがオン操作されている間、照明器が点灯してもよいし消灯してもよい。
（形態４）  第２照明モードは、メインスイッチがオフ操作された時点から第１所定時間の間は照明器が点灯しないモードである。従って、第２照明モードは、例えば、メインスイッチにオン操作とオフ操作のいずれが加えられても照明器が消灯し続ける照明モードであってもよいし、メインスイッチがオン操作された時点で照明器が点灯するとともに、メインスイッチがオフ操作された時点で照明器が消灯する照明モードであってもよい。即ち、第２照明モードでは、メインスイッチがオン操作されている間、照明器が点灯してもよいし消灯してもよい。
【実施例】
【００１７】
（実施例１）
本発明を実施した電動ドライバ１０について図面を参照しながら説明する。図１は、電動ドライバ１０の外観を示している。図２は、電動ドライバ１０の電気的な構成を示している。電動ドライバ１０は、可搬型の動力工具であり、主にねじ締め作業に用いられる動力工具である。
【００１８】
図１に示すように、電動ドライバ１０は、本体１２と、本体１２に着脱可能に取付けられている電池パック１６を備えている。本体１２には、利用者が把持するためのグリップ部１４が設けられている。電池パック１６は、グリップ部１４の先端に取付けられている。電動ドライバ１０は、電池パック１６からの電力によって動作する。
本体１２には、回転可能に設けられている工具チャック１８が設けられている。工具チャック１８は、ねじの締付工具であるドライバビットが脱着可能となっている。工具チャック１８は、本体１２に内蔵されたモータ３０（図２参照）によって回転駆動される。
本体１２には、トリガスイッチ２２が設けられている。トリガスイッチ２２は、グリップ部１４に設けられている。トリガスイッチ２２は、利用者が操作するメインスイッチである。利用者がトリガスイッチ２２をオン操作する（引く）と、電池パック１６からの電力がモータ３０に供給され、モータ３０によって工具チャック１８が駆動される。利用者がトリガスイッチ２２をオフ操作する（戻す）と、モータ３０への電力供給が中止され、工具チャック１８が停止する。また、トリガスイッチ２２の操作量（引き量）によって、モータ３０の回転速度を調節できるようになっている。即ち、トリガスイッチ２２を大きく操作するほど、モータ３０が高速で回転するようになっている。
【００１９】
本体１２には、電動ドライバ１０による作業箇所を照明するための照明ＬＥＤ（発光ダイオード）２０が設けられている。照明ＬＥＤ２０は、工具チャック１８とトリガスイッチ２２の間に位置している。照明ＬＥＤ２０の照明方向は、工具チャック１８の回転軸に沿う方向に設定されている。照明ＬＥＤ２０は、トリガスイッチ２２に加えられた操作に応じて点灯／消灯する。
本体１２には、照明ＬＥＤ切替スイッチ２４が設けられている。照明ＬＥＤ切替スイッチ２４は、利用者によって操作される押しボタン式の操作スイッチである。利用者は、照明ＬＥＤ切替スイッチ２４を操作することにより、照明ＬＥＤ２０の動作条件が互いに異なる第１照明モードと第２照明モードのいずれかに切り替えることができる。図３に示すように、第１照明モードでは、トリガスイッチ２２がオン操作された時点ｔ１で照明器が点灯するとともに、トリガスイッチ２２がオフ操作された時点ｔ２から所定の残照時間後（時点ｔ３）に照明器が消灯する。一方、第２照明モードでは、トリガスイッチ２２にオン操作とオフ操作のいずれが加えられても、照明ＬＥＤ２０が消灯し続ける。それにより、例えば作業環境が明るく、照明ＬＥＤ２０を点灯させる必要がない場合は、第２照明モードに設定することによって、照明ＬＥＤ２０が無用に点灯することを防止することができる。
【００２０】
本体１２には、速度切替スイッチ２６が設けられている。速度切替スイッチ２６は、利用者によって操作される押しボタン式に操作スイッチである。利用者は、速度切替スイッチ２６を操作することにより、モータ３０の回転速度（即ち、工具チャック１８の回転速度）を段階的に切り替えることができる。本実施例では、速度切替スイッチ２６を操作することにより、モータ３０の回転速度（詳しくは、トリガスイッチ２２を最大に操作したときの速度）を、３段階に切替可能となっている。即ち、速度切替スイッチ２６を操作することによって、低速運転モード、中速運転モード、高速運転モードを切り替えることができる。
【００２１】
次に、図２を参照し、電動ドライバ１０の電気的な構造について説明する。図２に示すように、電動ドライバ１０は、工具チャック１８を駆動するモータ３０と、制御用電圧を生成するレギュレータ３６と、モータ３０及び照明ＬＥＤ２０の動作を制御するマイクロコンピュータ４２を備えている。モータ３０は、駆動用ＦＥＴ（電界効果トランジスタ）３２及び起動用ＦＥＴ（電界効果トランジスタ）４０を介して、電池パック１６に電気的に接続されている。レギュレータ３６は、起動用ＦＥＴ４０を介して、電池パック１６に電気的に接続されている。照明ＬＥＤ２０は、照明用トランジスタ３８を介して電池パック１６に電気的に接続されている。
マイクロコンピュータ４２には、先に説明したトリガスイッチ２２、照明ＬＥＤ切替スイッチ２４、速度切替スイッチ２６が電気的に接続されている。なお、図２では、トリガスイッチ２２が、オン／オフスイッチ部２２ａと、速度調節部２２ｂに分けて図示されている。
【００２２】
次に、電動ドライバ１０の基本動作について説明する。トリガスイッチ２２がオン操作されると、起動用ＦＥＴ４０のゲートがグラウンド電位に接続され、起動用ＦＥＴ４０がターンオンする。起動用ＦＥＴ４０がターンオンすると、レギュレータ３６が電池パック１６に電気的に接続され、レギュレータ３６が制御用電圧の出力を開始する。レギュレータ３６が制御用電圧の出力を開始すると、マイクロコンピュータ４２に電力が供給されるようになり、マイクロコンピュータ４２が起動する。マイクロコンピュータ４２は、一旦起動すると、起動用ＦＥＴ４０のゲートに接続されたトランジスタ４１をターンオンし、起動用ＦＥＴ４０のオン状態を維持する。
なお、マイクロコンピュータ４２の起動は、照明ＬＥＤ切替スイッチ２４を操作しても行われる。図２に示すように、照明ＬＥＤ切替スイッチ２４を操作すると、起動用ＦＥＴ４０のゲートがグラウンド電位に接続され、起動用ＦＥＴ４０がターンオンするように構成されている。
【００２３】
トリガスイッチ２２がオン操作されている間、マイクロコンピュータ４２には、トランジスタ４４を介して制御用電圧が入力される。マイクロコンピュータ４２は、トリガスイッチ２２がオン操作されていることを検知し、駆動用ＦＥＴ３２への駆動信号を出力する。マイクロコンピュータ４２が出力した駆動信号は、ゲート回路３４を介して駆動用ＦＥＴ３２のゲートに入力される。駆動用ＦＥＴ３２はターンオンし、電池パック１６からモータ３０に電力が供給される。それにより、モータ３０が回転を開始、工具チャック１８が駆動される。このとき、マイクロコンピュータ４２は、出力する駆動信号をパルス幅変調することで、モータ３０の回転速度を調節することができる。駆動信号のデューティ比は、トリガスイッチ２２の操作量及び速度切替スイッチ２６による設定速度に応じて決定される。
【００２４】
第１照明モードが選択されている場合、トリガスイッチ２２がオン操作された時点で、マイクロコンピュータ４２は照明ＬＥＤ２０を点灯させる。即ち、マイクロコンピュータ４２は、照明用トランジスタ３８をターンオンし、照明ＬＥＤ２０と電池パック１６を導通させる。それにより、照明ＬＥＤ２０が点灯する。マイクロコンピュータ４２は、トリガスイッチ２２がオン操作されている間、照明ＬＥＤ２０を点灯させ続ける。ここで、マイクロコンピュータ４２は、照明用トランジスタ３８への駆動信号をパルス幅変調制御することにより、照明ＬＥＤ２０の照度を調節することができる。本実施例では、照明ＬＥＤ２０の照度が最大に設定されており、マイクロコンピュータ４２は、照明用トランジスタ３８を１００パーセントのデューティ比でオンさせる。
一方、第２照明モードが選択されている場合、トリガスイッチ２２がオン操作されても、マイクロコンピュータ４２は照明ＬＥＤ２０を点灯させない。
【００２５】
その後、トリガスイッチ２２がオフ操作されると、マイクロコンピュータ４２は、駆動用ＦＥＴ３２への駆動信号の出力を停止する。それにより、駆動用ＦＥＴ３２がターンオフし、モータ３０の回転が停止する。
第１照明モードが選択されている場合、トリガスイッチ２２がオフ操作されても、マイクロコンピュータ４２は照明ＬＥＤ２０を点灯させ続ける。マイクロコンピュータ４２は、トリガスイッチ２２がオフ操作された時点から計時を開始し、既定の残照時間が経過した時点で照明ＬＥＤ２０を消灯させる。
一方、第２照明モードが選択されている場合、トリガスイッチ２２がオフ操作されても、マイクロコンピュータ４２は照明ＬＥＤ２０を消灯させ続ける。
【００２６】
トリガスイッチ２２がオフ操作された後、所定の待機時間に亘って利用者からいかなる操作も行われない場合、マイクロコンピュータ４２は起動用ＦＥＴ４０をターンオフし、レギュレータ３６を電池パック１６から電気的に切断する。それにより、マイクロコンピュータ４２への電力供給が停止され、マイクロコンピュータ４２は動作を停止する。
【００２７】
以上のように、電動ドライバ１０では、トリガスイッチ２２に加えられた操作に連動して照明ＬＥＤ２０が点灯／消灯する第１照明モードと、トリガスイッチ２２に操作が加えられても照明ＬＥＤ２０が消灯し続ける第２照明モードを、利用者が必要に応じて選択することができる。照明ＬＥＤ２０による照明が必要な作業環境や作業内容の場合は、第１照明モードを選択しておくことにより、作業箇所を照明しながら作業を行うことができる。この場合、照明ＬＥＤ２０を点灯／消灯させるために別途スイッチを操作する必要がない。一方、照明ＬＥＤ２０による照明が不要な作業環境や作業内容の場合は、第２照明モードを選択しておくことにより、照明ＬＥＤ２０が点灯することを禁止することができる。この場合、照明ＬＥＤ２０による無用な電力消費を防ぐことができる。
【００２８】
次に、図５を参照し、マイクロコンピュータ４２による照明ＬＥＤ２０の制御フローについて説明する。
図５に示すように、照明ＬＥＤ２０の制御フローは、ステップＳ１０からステップＳ４０までの設定処理部分と、ステップＳ５０からステップＳ７０まで動作処理部分に大別される。設定処理部分では、照明ＬＥＤ切替スイッチ２４への操作に基づく照明モードの切替処理が行われ、動作処理部分では、設定された照明モードとトリガスイッチ２２への操作に基づく照明ＬＥＤ２０の点灯／消灯が行われる。
先ず、ステップＳ１０では、マイクロコンピュータ４２が、トリガスイッチ２２がオン操作されている（引かれている）のか否かを判別する。トリガスイッチ２２がオン操作されている場合、マイクロコンピュータ４２は、ステップＳ２０からステップＳ４０までの処理をスキップする。それにより、トリガスイッチ２２がオン操作されている場合は、照明ＬＥＤ切替スイッチ２４による照明モードの切り替えが禁止される。このステップＳ１０の処理により、電動ドライバ１０による作業中に照明モードが不意に切り替えられ、照明ＬＥＤ２０が突然に点灯／消灯することが防止される。トリガスイッチ２２がオン操作されていなければ、続くステップＳ２０の処理に進む。
【００２９】
ステップＳ２０では、マイクロコンピュータ４２が、残照時間内であるのか否かを判別する。即ち、トリガスイッチ２２がオフ操作された時点から、既定の残照時間が経過しているのか否かを判別する。残照時間内でない場合、マイクロコンピュータ４２は、ステップＳ３０及びステップＳ４０の処理をスキップする。それにより、残照時間内でない場合は、照明ＬＥＤ切替スイッチ２４による照明モードの切り替えが禁止される。残照時間内であれば、続くステップＳ３０の処理に進む。
ステップＳ３０では、マイクロコンピュータ４２が、照明ＬＥＤ切替スイッチ２４が操作されている（押されている）のか否かを判別する。照明ＬＥＤ切替スイッチ２４が操作されていると、マイクロコンピュータ４２には、トランジスタ４６を介して制御用電圧が入力される。照明ＬＥＤ切替スイッチ２４が操作されていれば、マイクロコンピュータ４２はステップＳ４０の処理に進み、マイクロコンピュータ４２は照明モードの切り替えを行う。即ち、照明モードを第１照明モードから第２照明モードへと切り替え、又は、第２照明モードから第１照明モードへと切り替える。一方、照明ＬＥＤ切替スイッチ２４が操作されていなければ、ステップＳ４０の処理をスキップし、照明モードの切り替えは行われない。選択された照明モードは、マイクロコンピュータ４２のメモリに記憶される。それにより、前記した待機時間に亘って利用者からいかなる操作も行われず、マイクロコンピュータ４２への電源供給が自動的に停止された場合でも、選択された照明モードが維持されるようになっている。
ここで、マイクロコンピュータ４２には、速度切替スイッチ２６によって選択可能な運転モード毎に、設定された照明モードを記憶させることも有効である。この場合、速度切替スイッチ２６によって運転モードを切り替えた時に、それに対応して照明モードの切り替えを自動的に行わせることができる。
【００３０】
ステップＳ５０では、マイクロコンピュータ４２が、トリガスイッチ２２がオン操作されている（引かれている）のか否かを判別する。トリガスイッチ２２がオン操作されていない場合はステップＳ６０の処理に進み、トリガスイッチ２２がオン操作されている場合はステップＳ７０の処理に進む。
ステップＳ６０では、マイクロコンピュータ４２が、残照時間内であるのか否かを判別する。即ち、トリガスイッチ２２がオフ操作された時点から、既定の残照時間が経過しているのか否かを判別する。残照時間内である場合、ステップＳ７０に進む。一方、残照時間内でない場合は、照明ＬＥＤ２０を点灯させることなく、ステップＳ１０の処理に戻る。即ち、トリガスイッチ２２がオン操作されておらず、残照時間内でもない場合は、設定されている照明モードにかかわらず、照明ＬＥＤ２０を点灯させない。
【００３１】
ステップＳ７０では、マイクロコンピュータ４２が、設定されている照明モードに応じて、照明ＬＥＤ２０を点灯させる。即ち、第１照明モードが設定されている場合には、照明ＬＥＤ２０を点灯させる。一方、第２照明モードが設定されている場合には、照明ＬＥＤ２０を点灯させない。ステップＳ７０の処理後、ステップＳ１０に戻り、以上の処理が繰り返し実行される。
【００３２】
上記した制御フローにより、第１照明モードが設定されている場合、トリガスイッチ２２がオン操作された時点で照明ＬＥＤ２０が点灯するとともに、トリガスイッチ２２がオフ操作された時点から残照時間後に照明ＬＥＤ２０が消灯する。一方、第２照明モードに設定されている場合、トリガスイッチ２２にオン操作とオフ操作のいずれが加えられても、照明ＬＥＤ２０は消灯し続ける。
上記した制御フローにより、照明モードの変更は、残照時間内に制限されている（図５のステップＳ２０参照）。従って、照明モードの切り替えは、必ず残照時間内に行われる。図５のステップＳ４０で第１照明モードへの切り替えが行われた場合、ステップＳ５０でＮＯ、ステップＳ６０でＹＥＳ、そしてステップＳ７０と進み、マイクロコンピュータ４２が照明ＬＥＤ２０を点灯させることになる。即ち、照明ＬＥＤ切替スイッチ２４によって第１照明モードが選択された場合は、必ず照明ＬＥＤ２０が点灯する。それに対し、第２照明モードが選択された場合は、ステップＳ７０の処理において照明ＬＥＤ２０が点灯されることはない。従って、利用者は、照明ＬＥＤ切替スイッチ２４によって照明モードを切り替える際に、照明ＬＥＤ２０の点灯／消灯を確認することで、第１照明モードに切り替えられたのか、第２照明モードに切り替えられたのか知ることができる。
【００３３】
本実施例の電動ドライバ１０では、第１照明モードと第２照明モードのみに限らず、さらに多くの照明モードを設けることもできる。この場合、追加する第３の照明モードでは、その照明モードへの切替時点で照明ＬＥＤ２０が点灯するとともに、その切替時点から所定の照明時間後に照明ＬＥＤ２０が消灯することが好ましい。この第３の照明モードを設けることにより、利用者は、トリガスイッチ２２を操作することなく、照明ＬＥＤ切替スイッチ２４を操作することによって、照明ＬＥＤ２０を点灯させることが可能となる。即ち、モータ３０を無用に回転させることなく、照明ＬＥＤ２０を点灯させることができる。さらに、照明ＬＥＤ２０は所定の照明時間が経過した後に自動的に消灯するため、照明ＬＥＤ２０を消灯させる操作を必要とせず、照明ＬＥＤ２０の消し忘れによる電力の無用な消費も防止される。
【００３４】
（実施例２）
実施例２の電動ドライバについて図面を参照しながら説明する。実施例２の電動ドライバは、実施例１の電動ドライバ１０において、マイクロコンピュータ４２による照明ＬＥＤ２０の制御フローを変更したものである。図６に、その制御フローを示す。
図６に示す実施例２の制御フローでは、図５に示す実施例１の制御フローと比較して、設定処理部分にステップＳ３２、ステップＳ３４、ステップＳ４２、ステップＳ４４の処理が追加されている。それにより、実施例２の電動ドライバでは、第１照明モードにおける残照時間（トリガスイッチ２２のオフ操作後に照明ＬＥＤ２０が点灯し続ける時間）と、照明ＬＥＤ２０の照度を、利用者が変更可能に構成されている。以下、残照時間の変更及び照度の変更に係る処理を中心に、マイクロコンピュータ４２が実行する制御フローを説明する。
【００３５】
本実施例の制御フローでは、ステップＳ３０で照明ＬＥＤ切替スイッチ２４が操作されている（押されている）と判別すると、マイクロコンピュータ４２はステップＳ３２の処理に進む。
ステップＳ３２では、マイクロコンピュータ４２が、照明ＬＥＤ切替スイッチ２４が操作され続けている（長押しされている）のか否かを判別する。照明ＬＥＤ切替スイッチ２４が長押しされている場合、マイクロコンピュータ４２はステップＳ３４の処理に進む。一方、照明ＬＥＤ切替スイッチ２４が長押しされていない場合、マイクロコンピュータ４２はステップＳ４０の処理に進み、マイクロコンピュータ４２は照明モードの切り替えを行う。即ち、照明ＬＥＤ切替スイッチ２４が長押しされていない場合は、実施例１と同じ処理が実行される。
【００３６】
ステップＳ３４では、トリガスイッチ２２がオン操作されている（引かれている）のか否かを判別する。トリガスイッチ２２がオン操作されていない場合、マイクロコンピュータ４２はステップＳ４２の処理に進み、トリガスイッチ２２がオン操作されている場合、マイクロコンピュータ４２はステップＳ４４の処理に進む。
ステップＳ４２では、マイクロコンピュータ４２が、残照時間の変更する処理を行う。このとき、マイクロコンピュータ４２は、残照時間を、照明ＬＥＤ切替スイッチ２４の長押し時間に応じて変更する。即ち、照明ＬＥＤ切替スイッチ２４の長押し時間が長いほど、残照時間を長く設定する。マイクロコンピュータ４２は、変更後の残照時間を、内蔵するメモリに記憶する。
一方、ステップＳ４４では、マイクロコンピュータ４２が、照明ＬＥＤ２０の照度を変更する処理を行う。このとき、マイクロコンピュータ４２は、照明ＬＥＤ２０の照度を、トリガスイッチ２２の操作量（引き量）に応じて変更する。即ち、トリガスイッチ２２が大きく操作されているほど、照明ＬＥＤ２０の照度を大きく設定する。ここで、照明ＬＥＤ２０の照度の設定は、先にも説明したように、照明用トランジスタ３８のオンさせる際のデューティ比によって行われる。マイクロコンピュータ４２は、変更後の照度を、内蔵するメモリに記憶する。
なお、照明ＬＥＤ２０の照度の設定には、トリガスイッチ２２の操作量に代えて、トリガスイッチ２２の操作時間（引き時間）を用いるように、制御プログラムを組むこともできる。
【００３７】
上記した制御フローにより、実施例２の電動ドライバでは、照明ＬＥＤ切替スイッチ２４を長押しすることによって、照明ＬＥＤ２０の残照時間を変更することができる。また、照明ＬＥＤ切替スイッチ２４を長押しするとともに、トリガスイッチ２２をオン操作することによって、照明ＬＥＤ２０の照度を変更することができる。変更後の残照時間及び照度は、マイクロコンピュータ４２によって記憶されることから、電動ドライバ１０を使用するたびに残照時間及び照度を再設定する必要がない。ここで、マイクロコンピュータ４２は、設定された残照時間及び照度を、低速運転モード、中速運転モード、高速運転モードのそれぞれについて記憶することも好ましい。この場合、各運転モードに応じて、残照時間及び照度を適切に設定しておくことができる。
【００３８】
上記した制御フローでは、ステップＳ４２における残照時間の変更処理と、ステップＳ４２における照度の変更処理の位置を、互いに入れ換えることもできる。それにより、照明ＬＥＤ切替スイッチ２４を長押しするとともに、トリガスイッチ２２をオン操作しないことによって、照明ＬＥＤ２０の照度を変更することができるようになる。また、照明ＬＥＤ切替スイッチ２４を長押しするとともに、トリガスイッチ２２をオン操作することによって、照明ＬＥＤ２０の残照時間を変更することができるようになる。
【００３９】
例えば、実施例２の電動ドライバに、前述した第３の照明モード等を付加した場合、上記した残照時間の変更処理と照度の変更処理は、照明モード毎に可能であることが好ましい。即ち、第１照明モードが選択されている状態で上記した残照時間や照度の変更を行った場合は、第１照明モードにおける残照時間や照度のみが変更されるようにするとよい。一方、第３の照明モードが選択されている状態で上記した残照時間や照度の変更を行った場合は、第３の照明モードにおける照明時間や照度のみが変更されるようにするとよい。そして、照明モード毎に設定された残照時間（照明時間）や照度は、マイクロコンピュータ４２によって照明モード毎に記憶されることが好ましい。
【００４０】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組合せによって技術的有用性を発揮するものであり、出願時の請求項に記載の組合せに限定されるものではない。本明細書または図面に例示した技術は複数の目的を同時に達成するものであり、そのうちの一つの目的を達成すること自体で技術的有用性を持つものである。
【図面の簡単な説明】
【００４１】
【図１】電動ドライバの外観を示す図。
【図２】電動ドライバの電気的な構成を示す回路図。
【図３】第１照明モードを説明するタイムチャート。
【図４】第２照明モードを説明するタイムチャート。
【図５】マイクロコンピュータによる照明ＬＥＤの制御フロー（実施例１）。
【図６】マイクロコンピュータによる照明ＬＥＤの制御フロー（実施例２）。
【符号の説明】
【００４２】
１０：電動ドライバ
１２：本体
１４：グリップ部
１６：電池パック
１８：工具チャック
２０：照明ＬＥＤ
２２：トリガスイッチ
２２ａ：トリガスイッチのオン／オフスイッチ部
２２ｂ：トリガスイッチの速度調節部
２４：照明ＬＥＤ切替スイッチ
２６：速度切替スイッチ
３０：モータ
３２：駆動用ＦＥＴ
３４：ゲート回路
３６：レギュレータ
３８：照明用トランジスタ
４０：起動用ＦＥＴ
４２：マイクロコンピュータ
【図１】
0005420784.tif 000002
【図２】
0005420784.tif 000003
【図３】
0005420784.tif 000004
【図４】
0005420784.tif 000005
【図５】
0005420784.tif 000006
【図６】
0005420784.tif 000007